(57)【要約】【課題】専用のＩ／Ｆ手段を用いることなく、自動ページめくり機能を備える任意の電子ペーパー端末に表示される画像を適切に取得する。【解決手段】一定の時間間隔でページを切り換える表示装置からページ画像を読み取る画像処理装置において、原稿台上に対向して配置された画面を、一定の時間間隔よりも短い所定の時間間隔で読み取り、スキャン画像を順次取得するスキャン部と、スキャン画像を取得する度に、取得したスキャン画像と基準のスキャン画像とを比較し、比較結果に基づき、取得したスキャン画像の有効／無効を判定する画像判定部と、スキャン画像を保存する記憶部と、を少なくとも備え、画像判定部は、双方のスキャン画像が一致しない場合は、判定を保留して取得したスキャン画像を一時的に保持し、双方のスキャン画像が一致する場合は、取得したスキャン画像を無効と判定して破棄する。【選択図】図１２
2015142310.tif 000002
【特許請求の範囲】
【請求項１】
一定の時間間隔で画面に表示するページを切り換える表示装置から、前記ページの画像を光学的に読み取る画像処理装置において、
原稿台上に対向して配置された前記画面を、前記一定の時間間隔よりも短い所定の時間間隔で読み取り、スキャン画像を順次取得するスキャン部と、
前記スキャン部がスキャン画像を取得する度に、取得したスキャン画像と予め定めた基準となるスキャン画像とを比較し、比較結果に基づき、前記取得したスキャン画像の有効／無効を判定する画像判定部と、
スキャン画像を保存する記憶部と、を少なくとも備え、
前記画像判定部は、前記基準となるスキャン画像と前記取得したスキャン画像とが一致しない場合は、前記判定を保留し、以降のスキャン画像を用いて判定を継続するために前記取得したスキャン画像を一時的に保持し、前記基準となるスキャン画像と前記取得したスキャン画像とが一致する場合は、前記画面のページが切り換えられていないと判断し、前記取得したスキャン画像を無効と判定して破棄する、
ことを特徴とする画像処理装置。
【請求項２】
前記画像判定部は、前記判定を保留した場合は、前記取得した第１のスキャン画像と次のスキャンで取得した第２のスキャン画像とを比較し、前記第１のスキャン画像と前記第２のスキャン画像とが一致しない場合は、前記判定を再度保留すると共に、前記第２のスキャン画像を一時的に保持し、前記第１のスキャン画像と前記第２のスキャン画像とが一致する場合は、前記第２のスキャン画像を有効と判定し、当該第２のスキャン画像を新たなページの画像として前記記憶部に保存すると共に前記基準となるスキャン画像に設定し、かつ、前記第１のスキャン画像を無効と判定して破棄する、
ことを特徴とする請求項１に記載の画像処理装置。
【請求項３】
前記画像判定部は、前記判定を再度保留した場合は、前記第２のスキャン画像と次のスキャンで取得した第３のスキャン画像とを比較し、前記第２のスキャン画像と前記第３のスキャン画像とが一致する場合は、前記第３のスキャン画像を有効と判定し、当該第３のスキャン画像を新たなページの画像として前記記憶部に保存すると共に前記基準となるスキャン画像に設定し、かつ、前記第１のスキャン画像及び前記第２のスキャン画像を無効と判定して破棄する、
ことを特徴とする請求項２に記載の画像処理装置。
【請求項４】
前記画像判定部は、前記スキャン部に、前記所定の時間間隔よりも短い時間間隔で、前記次のスキャンを実行させる、
ことを特徴とする請求項２又は３に記載の画像処理装置。
【請求項５】
前記画像判定部は、スキャン画像を有効と判定してから、次にスキャン画像を有効と判定するまでの経過時間に基づいて、前記所定の時間間隔を変更する、
ことを特徴とする請求項１乃至４のいずれか一に記載の画像処理装置。
【請求項６】
前記画像判定部は、前記基準となるスキャン画像と前記取得したスキャン画像とが一致しない場合であっても、前記取得したスキャン画像が前記基準となるスキャン画像を白黒反転した画像である場合は、前記取得したスキャン画像を無効と判定して破棄する、
ことを特徴とする請求項１乃至５のいずれか一に記載の画像処理装置。
【請求項７】
前記画像判定部は、予め定めた回数、連続して、スキャン画像を無効と判定した場合は、前記画面に最終ページが表示されていると判断して、前記スキャン部にスキャンの停止を指示する、
ことを特徴とする請求項１乃至６のいずれか一に記載の画像処理装置。
【請求項８】
前記原稿台上の前記画面の位置を判定する位置判定部を備え、
前記スキャン部は、前記位置判定部が判定した前記画面の位置に基づく範囲をスキャンする、
ことを特徴とする請求項１乃至７のいずれか一に記載の画像処理装置。
【請求項９】
前記位置判定部は、前記表示装置がページの切り換えを開始する前のスキャン画像から特定の情報を抽出し、前記特定の情報に基づいて、前記画面の位置を判定する、
ことを特徴とする請求項８に記載の画像処理装置。
【請求項１０】
開閉可能な前記原稿台のカバーに、前記表示装置を調整可能に保持する保持部を備え、
前記位置判定部は、前記保持部の構成物の位置に基づいて、前記画面の位置を判定する、
ことを特徴とする請求項８に記載の画像処理装置。
【請求項１１】
一定の時間間隔で画面に表示するページを切り換える表示装置から、前記ページの画像を光学的に読み取る画像処理装置で動作する画像読み取り制御プログラムであって、
前記画像処理装置に、
原稿台上に対向して配置された前記画面を、前記一定の時間間隔よりも短い所定の時間間隔で読み取り、スキャン画像を取得する第１ステップ、
前記第１ステップで取得したスキャン画像と予め定めた基準となるスキャン画像とを比較し、比較結果に基づき、前記取得したスキャン画像の有効／無効を判定する第２ステップ、を繰り返し実行させ、
前記第２ステップでは、前記基準となるスキャン画像と前記取得したスキャン画像とが一致しない場合は、前記判定を保留し、以降のスキャン画像を用いて判定を継続するために前記取得したスキャン画像を一時的に保持し、前記基準となるスキャン画像と前記取得したスキャン画像とが一致する場合は、前記画面のページが切り換えられていないと判断し、前記取得したスキャン画像を無効と判定して破棄する、
ことを特徴とする画像読み取り制御プログラム。
【請求項１２】
一定の時間間隔で画面に表示するページを切り換える表示装置から、前記ページの画像を光学的に読み取る画像処理装置における画像読み取り制御方法であって、
原稿台上に対向して配置された前記画面を、前記一定の時間間隔よりも短い所定の時間間隔で読み取り、スキャン画像を取得する第１ステップと、
前記第１ステップで取得したスキャン画像と予め定めた基準となるスキャン画像とを比較し、比較結果に基づき、前記取得したスキャン画像の有効／無効を判定する第２ステップと、を繰り返し実行し、
前記第２ステップでは、前記基準となるスキャン画像と前記取得したスキャン画像とが一致しない場合は、前記判定を保留し、以降のスキャン画像を用いて判定を継続するために前記取得したスキャン画像を一時的に保持し、前記基準となるスキャン画像と前記取得したスキャン画像とが一致する場合は、前記画面のページが切り換えられていないと判断し、前記取得したスキャン画像を無効と判定して破棄する、
ことを特徴とする画像読み取り制御方法。
【発明の詳細な説明】
【技術分野】
【０００１】
本発明は、画像処理装置及び画像読み取り制御プログラム並びに画像読み取り制御方法に関し、特に、スキャン部を備える画像処理装置及び電子ペーパー端末に表示される画像の読み取りを制御する画像読み取り制御プログラム並びに画像読み取り制御方法に関する。
【背景技術】
【０００２】
近年、電子ペーパー端末等の表示装置が普及しており、例えば、書籍などの文書を表示させる用途に使用されている。この電子ペーパー端末は、透明な液体中に分散している帯電粒子やマイクロカプセル中の帯電粒子に電圧を印加して泳動させることにより、無電源で（電圧を印加したり、電流を流したりすることなく）画像を保持することができる。
【０００３】
このように、電子ペーパー端末は紙媒体と同様に取り扱うことができるため、著作権を考慮する必要があり、表示した文書が制限なく流用されることがないように、一般的に印刷出力機能が付加されていない。しかしながら、文書の利用権限を有するユーザ（例えば、正規に文書を購入したユーザなど）は、自身が使用するために、電子ペーパー端末に表示された文書を紙媒体に印刷したい場合がある。
【０００４】
この場合、ユーザは、自ら電子ペーパー端末を操作して１ページずつ文書のページをめくりながら、ＭＦＰ（Multi Function Peripheral）などの画像処理装置を用いてスキャンするのが一般的である。この方法では、ユーザは、タイミングを計りながら電子ペーパー端末と画像処理装置の双方を操作しなければならず、操作が煩雑である。また、電子ペーパー端末の中には、下記特許文献１のように、予め設定された一定の時間間隔で文書のページをめくる機能（自動ページめくり機能と呼ぶ。）を備えたものもあるが、このような機能を備えた電子ペーパー端末を用いたとしても、電子ペーパー端末のページめくりのタイミングに合わせて画像処理装置を操作しなければならず、やはり操作が煩雑になる。
【０００５】
その際、電子ペーパー端末と画像処理装置とが同一のメーカーによって製造されたものであれば、電子ペーパー端末と画像処理装置とをメーカー独自のＩ／Ｆ手段で接続して通信させ、電子ペーパー端末のページめくりに合わせて画像処理装置にスキャンを実行させることも可能であり、電子ペーパー端末と画像処理装置とを連動させる技術に関して様々な提案がなされている。
【０００６】
例えば、下記特許文献２には、デジタルコンテンツの画像を表示する表示手段を有する携帯端末と、前記表示手段に表示された画像を読み取ってディジタル画像データを生成する読み取り手段を有する画像形成装置とを備える画像処理システムにおいて、前記携帯端末は、前記画像形成装置の状態を認識する認識手段と、前記認識手段を用いて前記画像形成装置の読み取り手段が前記表示手段に表示されている画像を読み取ったことを認識すると、前記表示手段に表示する画像を更新する制御手段と、を備える画像処理システムが開示されており、コピー機が電子ブック端末の画面を読み取った後、電子ブック端末にページ表示要求を通知し、電子ブック端末で表示する画像を更新、すなわちページめくりを行った後にコピー機にページ表示完了を通知することが記載されている。
【０００７】
また、下記特許文献３には、複数のページで構成される画像のデータが入力されるデータ入力手段と、前記入力された画像のデータを記憶するための記憶手段と、それぞれが、前記複数のページのそれぞれのページの内容を規定する複数の描画データを、前記記憶された画像のデータに基いてページ毎に生成する描画データ生成手段と、複数の画素列で構成されると共に、外光の反射により表示面に表示する内容を電力非供給時に保持する表示記憶性を有し、１つの前記描画データが示す１つのページの画像を表示する反射型表示手段と、前記表示面の周囲に配置され、前記表示面上をそれぞれの画素列に沿って走査される光である走査光の移動の有無を、入射する光の照度に基き検出する検出手段と、前記検出された走査光の移動を受け、前記反射型表示手段に表示されている１つのページの画像を、当該ページとは異なるページの画像に、前記画素列毎に順次書き換えるページ更新手段と、を備える画像表示装置が開示されている。
【先行技術文献】
【特許文献】
【０００８】
【特許文献１】特開平０７−１４１３９８号公報
【特許文献２】特開２００６−２５４２２４号公報
【特許文献３】特開２００９−０９３１７４号公報
【発明の概要】
【発明が解決しようとする課題】
【０００９】
上記特許文献２、３に記載されているように、電子ペーパー端末と画像処理装置とを専用のＩ／Ｆ手段を用いて接続して連動させることにより、電子ペーパー端末に順次表示される画像を画像処理装置で取り込むことは可能である。しかしながら、この方法では、電子ペーパー端末と画像処理装置の双方に通信を行うためのＩ／Ｆ手段を設けなければならず、接続に手間がかかることに加えて、通信方式がメーカー固有の方式であるため、電子ペーパー端末と画像処理装置の組み合わせが限定されてしまい、汎用性に欠けるという問題があった。
【００１０】
本発明は、上記問題点に鑑みてなされたものであって、その主たる目的は、専用のＩ／Ｆ手段を用いることなく、自動ページめくり機能を備える任意の電子ペーパー端末に表示される画像を適切に取得することができる画像処理装置及び画像読み取り制御プログラム並びに画像読み取り制御方法を提供することにある。
【課題を解決するための手段】
【００１１】
本発明の一側面は、一定の時間間隔で画面に表示するページを切り換える表示装置から、前記ページの画像を光学的に読み取る画像処理装置において、原稿台上に対向して配置された前記画面を、前記一定の時間間隔よりも短い所定の時間間隔で読み取り、スキャン画像を順次取得するスキャン部と、前記スキャン部がスキャン画像を取得する度に、取得したスキャン画像と予め定めた基準となるスキャン画像とを比較し、比較結果に基づき、前記取得したスキャン画像の有効／無効を判定する画像判定部と、スキャン画像を保存する記憶部と、を少なくとも備え、前記画像判定部は、前記基準となるスキャン画像と前記取得したスキャン画像とが一致しない場合は、前記判定を保留し、以降のスキャン画像を用いて判定を継続するために前記取得したスキャン画像を一時的に保持し、前記基準となるスキャン画像と前記取得したスキャン画像とが一致する場合は、前記画面のページが切り換えられていないと判断し、前記取得したスキャン画像を無効と判定して破棄することを特徴とする。
【００１２】
本発明の一側面は、一定の時間間隔で画面に表示するページを切り換える表示装置から、前記ページの画像を光学的に読み取る画像処理装置で動作する画像読み取り制御プログラムであって、前記画像処理装置に、原稿台上に対向して配置された前記画面を、前記一定の時間間隔よりも短い所定の時間間隔で読み取り、スキャン画像を取得する第１ステップ、前記第１ステップで取得したスキャン画像と予め定めた基準となるスキャン画像とを比較し、比較結果に基づき、前記取得したスキャン画像の有効／無効を判定する第２ステップ、を繰り返し実行させ、前記第２ステップでは、前記基準となるスキャン画像と前記取得したスキャン画像とが一致しない場合は、前記判定を保留し、以降のスキャン画像を用いて判定を継続するために前記取得したスキャン画像を一時的に保持し、前記基準となるスキャン画像と前記取得したスキャン画像とが一致する場合は、前記画面のページが切り換えられていないと判断し、前記取得したスキャン画像を無効と判定して破棄することを特徴とする。
【００１３】
本発明の一側面は、一定の時間間隔で画面に表示するページを切り換える表示装置から、前記ページの画像を光学的に読み取る画像処理装置における画像読み取り制御方法であって、原稿台上に対向して配置された前記画面を、前記一定の時間間隔よりも短い所定の時間間隔で読み取り、スキャン画像を取得する第１ステップと、前記第１ステップで取得したスキャン画像と予め定めた基準となるスキャン画像とを比較し、比較結果に基づき、前記取得したスキャン画像の有効／無効を判定する第２ステップと、を繰り返し実行し、前記第２ステップでは、前記基準となるスキャン画像と前記取得したスキャン画像とが一致しない場合は、前記判定を保留し、以降のスキャン画像を用いて判定を継続するために前記取得したスキャン画像を一時的に保持し、前記基準となるスキャン画像と前記取得したスキャン画像とが一致する場合は、前記画面のページが切り換えられていないと判断し、前記取得したスキャン画像を無効と判定して破棄することを特徴とする。
【発明の効果】
【００１４】
本発明の画像処理装置及び画像読み取り制御プログラム並びに画像読み取り制御方法によれば、専用のＩ／Ｆ手段を用いることなく、自動ページめくり機能を備える任意の電子ペーパー端末に表示される画像を適切に取得することができる。
【００１５】
その理由は、画像処理装置（画像読み取り制御プログラム）は、原稿台に対向して配置された画面を、ページめくりの時間間隔よりも短い所定の時間間隔で読み取ってスキャン画像を順次取得し、スキャン画像を取得する度に、取得した所定のスキャン画像と基準となるスキャン画像とを比較し、双方が一致しない場合は、判定を保留し、双方が一致する場合は、取得したスキャン画像を無効と判定して破棄する。そして、判定を保留した場合は、取得した第１のスキャン画像と次のスキャンで取得した第２のスキャン画像とを比較し、双方が一致しない場合は、判定を再度保留し、双方が一致する場合は、第２のスキャン画像を有効と判定して新たなページの画像として保存すると共に基準となるスキャン画像に設定し、かつ、第１のスキャン画像を無効と判定して破棄する。また、判定を再度保留した場合は、第２のスキャン画像と次のスキャンで取得した第３のスキャン画像とを比較し、双方が一致する場合は、第３のスキャン画像を有効と判定して新たなページの画像として保存すると共に基準となるスキャン画像に設定し、かつ、第１のスキャン画像及び第２のスキャン画像を無効と判定して破棄するからである。
【図面の簡単な説明】
【００１６】
【図１】本発明の一実施例に係る画像読み取りシステムの外観を模式的に示す図である。
【図２】本発明の一実施例に係る画像処理装置の構成を示すブロック図である。
【図３】本発明の一実施例に係る電子ペーパー端末の構成を示すブロック図である。
【図４】ＳＥＦでセットした電子ペーパー端末に表示される画像をスキャン（上から下にスキャン）する様子を模式的に示す図である。
【図５】ＳＥＦでセットした電子ペーパー端末に表示される画像をスキャン（下から上にスキャン）する様子を模式的に示す図である。
【図６】ＬＥＦでセットした電子ペーパー端末に表示される画像をスキャン（左から右にスキャン）する様子を模式的に示す図である。
【図７】ＬＥＦでセットした電子ペーパー端末に表示される画像をスキャン（右から左にスキャン）する様子を模式的に示す図である。
【図８】ＳＥＦでセットした電子ペーパー端末に表示される画像をスキャンする様子の他の例（スキャン中にページめくりがない場合）を示す図である。
【図９】ＳＥＦでセットした電子ペーパー端末に表示される画像をスキャンする様子の他の例（スキャン間隔が長い場合）を示す図である。
【図１０】ＳＥＦでセットした電子ペーパー端末に表示される画像をスキャンする様子の他の例（スキャン間隔がページめくり間隔に近い場合）を示す図である。
【図１１】ＳＥＦでセットした電子ペーパー端末に表示される画像をスキャンする様子の他の例（スキャン間隔が短い場合）を示す図である。
【図１２】本発明の一実施例に係る画像処理装置の動作を示すフローチャート図である。
【図１３】電子ペーパー端末を原稿台にセットする場合のスキャン範囲（若しくは読み取るべきスキャン画像の範囲）の特定方法を説明する図である。
【図１４】電子ペーパー端末をプラテンカバー内に保持する機構を模式的に示す図である。
【発明を実施するための形態】
【００１７】
背景技術で示したように、電子ペーパー端末の画面に表示される画像を紙に印刷する場合、ユーザが自ら電子ペーパー端末を操作して文書を１ページずつめくりながら、若しくは、電子ペーパー端末に備えた自動ページめくり機能を用いて自動でページをめくりながら、ＭＦＰなどの画像処理装置を用いてスキャンしなければならず、操作が煩雑になるという問題があった。
【００１８】
この問題に対して、電子ペーパー端末と画像処理装置とが専用のＩ／Ｆ手段を用いて接続可能な場合は、電子ペーパー端末の画面の表示を順次切り替えながら画像処理装置でスキャンを実施することは可能であるが、この方法では、専用のＩ／Ｆ手段が必要であり、また、電子ペーパー端末と画像処理装置の組み合わせが限定され、汎用性に欠けるという問題があった。
【００１９】
そこで、本発明の一実施の形態では、自動ページめくり機能を備える電子ペーパー端末に表示される画像を画像処理装置で所定の時間間隔でスキャンし、スキャン画像を比較することによってスキャン画像が有効か無効か（ページがめくられたか否か）を判定して、文書の各ページの画像を適切に取得できるようにする。
【００２０】
ここで、文書の全てのページの画像を取得するために、画像処理装置のスキャンの時間間隔を電子ペーパー端末のページめくりの時間間隔よりも短くする必要があるが、スキャンの時間間隔が短くなると、スキャン画像の数が多くなり、多数のスキャン画像のデータを保持するために記憶手段の記憶領域を占有してしまう。そのため、不要なスキャン画像は破棄し、必要なスキャン画像のみを記憶するように制御することが重要になる。
【００２１】
その際、スキャン画像がいずれかのページの画像であれば、前後のスキャン画像を比較し、前後のスキャン画像が一致する場合は後のスキャン画像を破棄し、前後のスキャン画像が一致しない場合は後のスキャン画像を保存するように制御することによって、文書の各ページの画像を適切に取得することができる。しかしながら、電子ペーパー端末でのページめくりは一瞬であるのに対して、画像処理装置でのスキャンは所定の時間がかかるため、スキャンの途中でページめくりが行われることがあり、その場合は、前後のページが混在した不要なスキャン画像が取得されてしまい、その不要なスキャン画像までも保存することになるため、効率的にスキャン画像を保存することができなくなる。
【００２２】
このように、電子ペーパー端末に順次表示される画像をスキャンする場合には、各ページの画像を効率的に保存するためには、前後のスキャン画像が一致しない場合であっても、前後のページが混在した不要なスキャン画像はページの画像として保存されないように制御する必要がある。
【００２３】
そこで、本実施形態では、取得した第１のスキャン画像と基準となるスキャン画像とを比較し、双方のスキャン画像が一致する場合は、第１のスキャン画像を無効と判定して破棄するが、双方のスキャン画像が一致しない場合は、第１のスキャン画像の有効／無効の判定を保留する。そして、判定を保留した場合は、第１のスキャン画像と次のスキャンで取得した第２のスキャン画像とを比較し、双方のスキャン画像が一致する場合は、第２のスキャン画像を有効と判定して保持すると共に基準となるスキャン画像に設定し、かつ、第１のスキャン画像を破棄し、双方のスキャン画像が一致しない場合は、判定を再度保留する。そして、判定を再度保留した場合は、第２のスキャン画像と次のスキャンで取得した第３のスキャン画像とを比較し、双方のスキャン画像が一致する場合は、第３のスキャン画像を保持すると共に基準となるスキャン画像に設定し、かつ、第１のスキャン画像及び第２のスキャン画像を破棄する。すなわち、上記制御では、前後スキャン画像が一致しない場合であっても、後のスキャン画像を破棄する場合がある。
【００２４】
また、スキャンの時間間隔がページめくりの時間間隔に対してあまり短くなると、同じページの画像を何度もスキャンすることになるため、不要なスキャン動作が多くなり、画像処理装置を効率的に動作させることができない。そこで、本実施形態では、スキャン画像を有効と判定してから次にスキャン画像を有効と判定するまでの経過時間に基づいて、その後のスキャンの時間間隔を調整することにより、スキャンの時間間隔とページめくりの時間間隔を同期させ、不要なスキャン動作を抑制するように制御する。
【００２５】
これにより、電子ペーパー端末に自動ページめくり機能を備えていれば、電子ペーパー端末と通信することなく、また、電子ペーパー端末の機種を問わず、画像処理装置側だけの制御で、電子ペーパー端末に表示される各ページの画像を適切に取得することができる。
【実施例】
【００２６】
上記した本発明の実施の形態についてさらに詳細に説明すべく、本発明の一実施例に係る画像処理装置及び画像読み取り制御プログラム並びに画像読み取り制御方法について、図１乃至図１４を参照して説明する。図１は、本実施例の画像読み取りシステムの外観を模式的に示す図であり、図２は、本実施例の画像処理装置の構成を示すブロック図、図３は、本実施例の電子ペーパー端末の構成を示すブロック図である。また、図４乃至図１１は、電子ペーパーに表示される画像をスキャンする様子を模式的に示す図であり、図１２は、本実施例の画像処理装置の動作を示すフローチャート図である。また、図１３は、電子ペーパー端末を原稿台にセットする場合のスキャン範囲（若しくは読み取るべきスキャン画像の範囲）の特定方法を説明する図であり、図１４は、電子ペーパー端末をプラテンカバー内に保持する機構を模式的に示す図である。
【００２７】
図１に示すように、本実施例の画像読み取りシステム１０は、画像の読み取りを行うＭＦＰなどの画像処理装置２０と、画像処理装置２０が画像を読み取り可能な画面を有する表示装置（本実施例では電子ペーパー端末４０とする。）と、で構成される。以下、各装置について説明する。
【００２８】
［画像処理装置］
画像処理装置２０は、図２に示すように、ＣＰＵ（Central Processing Unit）２１と、ＲＯＭ（Read Only Memory）２２と、ＲＡＭ（Random Access Memory）２３と、記憶部２４と、計時部２５と、表示部２６と、操作部２７と、スキャン部２８と、電源制御部２９と、画像処理部３０と、画像判定部３１などで構成され、必要に応じて、ＦＡＸ通信制御部３２と、ネットワーク制御部３３と、電子ペーパー端末保持部３４と、装着位置判定部３５などを含み、これらはシステムバスによって接続されている。
【００２９】
ＣＰＵ２１は、制御プログラムをＲＯＭ２２や記憶部２４から読み出し、ＲＡＭ２３に展開し実行することにより、画像処理装置２０の全体動作を制御する。ＲＯＭ２２は、ＣＰＵ２１が各部を制御するための制御プログラムなどを記憶する。ＲＡＭ２３は、ＣＰＵ２１が制御プログラムを実行する際に各種のデータ（後述する判定保留フラグや同一頁カウンタのカウント値などを含む。）を一時的に格納するワークメモリやスキャン画像データを一時的に格納する画像メモリなどとして使用される。そして、ＣＰＵ２１とＲＯＭ２２やＲＡＭ２３などのメモリとで制御部が構成される。
【００３０】
記憶部２４は、ＨＤＤ（Hard Disk Drive）やＳＳＤ（Solid State Drive）などで構成され、ＣＰＵ２１が各部を制御するための制御プログラム、自装置の処理機能に関する情報、画像判定部３１が有効と判定したスキャン画像データなどを記憶する。
【００３１】
計時部２５は、通常の画像処理装置２０の制御で利用するほかに、スキャン部２８がスキャンを行ってからの時間経過を計時して、スキャン部２８に通知したり、画像判定部３１（ページめくり判定部３１ａ）がページがめくられたと判定してからの時間経過を計時して、画像判定部３１（スキャン間隔設定部３１ｂ）に通知したりする。
【００３２】
表示部２６は、ＬＣＤ（Liquid Crystal Display）等からなり、画像処理装置２０の機能の選択や実行を指示するための画面などを表示する。操作部２７は、表示部２６上に透明電極が格子状に配置された感圧式又は静電式のタッチセンサや、ボタンやスイッチ等のハードスイッチからなり、電子ペーパー端末４０に表示される画像の読み取りを指示したり、スキャンの時間間隔（以下、スキャン間隔と記載する。）のデフォルト値などを設定したりできるようにする。
【００３３】
スキャン部２８は、原稿台（プラテンガラス）上に載置された電子ペーパー端末４０に表示されている画像を光学的に読み取る部分であり、電子ペーパー端末４０を一方向又は双方向に走査する光源と、電子ペーパー端末４０の表示画面で反射された光を電気信号に変換するＣＣＤ（Charge Coupled Devices）等のイメージセンサと、電気信号をＡ／Ｄ変換するＡ／Ｄ変換器等により構成され、予め設定されたデフォルトのスキャン間隔若しくはスキャン間隔設定部３１ｂから通知されたスキャン間隔で電子ペーパー端末４０のスキャンを実行し、取得したスキャン画像のデータ（以下、単にスキャン画像と記載する。）をＲＡＭ２３などのメモリに保持する。また、スキャン部２８は、装着位置判定部３５からスキャン範囲が通知された場合は、そのスキャン範囲のスキャンを実行する。
【００３４】
電源制御部２９は、外部の電源からの電力を画像処理装置２０の各部に供給する。
【００３５】
画像処理部３０は、スキャン部２８が読み取ったスキャン画像に対して、必要に応じて、トリミング（装着位置判定部３５が判定したスキャン範囲内の画像の切り取り）、回転、拡大／縮小、色変換、濃度変換、スクリーニング（２値のビットマップの生成）などの画像処理を行い、画像処理後のスキャン画像を画像判定部３１に送信する。また、上記スキャン画像に対して、エッジやコーナーなどの特徴点を抽出したり、公知の文字認識技術を利用してエンブレムなどを抽出したりして、原稿台上の電子ペーパー端末４０の位置（スキャン範囲若しくは読み取るべきスキャン画像の範囲）を特定するための情報を抽出し、装着位置判定部３５に通知する。
【００３６】
画像判定部３１は、スキャン部２８が取得したスキャン画像（若しくは、画像処理部３０が画像処理したスキャン画像）を比較し、スキャン画像の有効／無効を判定する。例えば、あるスキャン画像を基準となるスキャン画像（比較ベースと呼ぶ。）として設定し、その比較ベースとスキャン部２８が取得したスキャン画像とを比較し、その比較結果に基づいてスキャン画像の有効／無効を判定する。この画像判定部３１は、ページめくり判定部３１ａとスキャン間隔設定部３１ｂとで構成される。
【００３７】
ページめくり判定部３１ａは、比較ベースとスキャン部２８が取得したスキャン画像とが一致する場合は、ページがめくられていないと判断し、取得したスキャン画像を無効と判定して破棄（メモリから消去）する。また、比較ベースとスキャン部２８が取得したスキャン画像とが一致しない場合は、判定を保留し、その後のスキャン画像を用いて判定を継続するために取得したスキャン画像を保持する（メモリから消去しない）。そして、判定を保留した場合は、スキャン部２８に短時間に次のスキャンを実施させ、前後のスキャン画像が一致する場合はページがめくられたと判断し、後のスキャン画像を有効と判定して新たなページの画像として記憶部２４に保存すると共に比較ベースに設定（比較ベースを更新）し、かつ、前のスキャン画像を無効と判定して破棄する。また、前後のスキャン画像が一致しない場合は、再度判定を保留し、その後のスキャン画像を用いて判定を継続するために取得した後のスキャン画像を保持する。そして、スキャン部２８に短時間に次のスキャンを実施させ、前後のスキャン画像が一致する場合はページがめくられたと判断し、後のスキャン画像を有効と判定して新たなページの画像として記憶部２４に保存すると共に比較ベースに設定し、かつ、前２回のスキャン画像を無効と判定して破棄する。また、ページめくり判定部３１ａは、上記スキャン画像の比較に際して、所定のカウンタ（後述する同一頁カウンタ）をカウントアップしたり、所定のフラグ（後述する判定保留フラグ）のセットやクリアを行ったりする。なお、スキャン画像が一致するとは、実質的に同一と見なすことができるという意味であり、スキャン画像が一致しないとは、実質的に同一と見なすことができないという意味である。また、電子ペーパー端末４０の表示部がリフレッシュされると白黒反転した画面となるが、この場合は白黒反転した画面のスキャン画像は無効と判定して破棄する。
【００３８】
スキャン間隔設定部３１ｂは、計時部２５が計時した経過時間とページめくり判定部３１ａの判定結果とに基づいて、スキャン部２８のスキャン間隔を設定し、設定したスキャン間隔をスキャン部２８に通知する。例えば、ページめくり判定部３１ａが、ページがめくられたと判断した時から、次にページがめくられたと判断するまでの経過時間（比較ベースが更新されるまでの経過時間）をスキャン間隔に設定し、スキャン間隔を電子ペーパー端末４０のページめくり間隔に同期させるようにする。また、同じスキャン画像が所定回数続く場合は、最終ページと判断して、スキャン部２８にスキャンの停止を指示する。なお、本実施例における同期とは、スキャン間隔とページめくり間隔とを完全に一致させる場合に限らず、ページを飛ばしてしまわないように、電子ペーパー端末４０が１ページの画像を表示している間にスキャンを２回行うようにするなど、スキャン間隔とページめくり間隔とが所定の関係性を有している場合を含む。
【００３９】
上記画像処理部３０や画像判定部３１（ページめくり判定部３１ａ、スキャン間隔設定部３１ｂ）はハードウェアとして構成してもよいし、制御部を画像判定部３１（又は画像処理部３０及び画像判定部３１）として機能させる画像読み取り制御プログラムして構成し、当該画像読み取り制御プログラムをＣＰＵ２１に実行させるようにしてもよい。
【００４０】
ＦＡＸ通信制御部３２は、電話回線を介して繋がっている外部の画像処理装置との接続を確立し、スキャン部２８で読み取ったスキャン画像などを送信したり、外部の画像処理装置から画像データなどを受信したりする。
【００４１】
ネットワーク制御部３３は、ＮＩＣ（Network Interface Card）やモデムなどで構成され、ＬＡＮ（Local Area Network）やＷＡＮ（Wide Area Network）などの通信ネットワークを介して繋がっている外部の装置との接続を確立し、各種データを送受信する。
【００４２】
電子ペーパー端末保持部３４は、開閉可能な原稿台のカバー（プラテンカバーと呼ぶ。）の裏に、電子ペーパー端末４０をプラテンガラスに隙間無く正対可能に保持する。例えば、電子ペーパー端末４０をプラテンカバーに対してスライド可能に保持する機構（後述する支持ガイド２８ａ）や、電子ペーパー端末４０の落下防止のための爪（後述する落下防止用爪２８ｂ）を備え、ユーザが位置合わせを行うことで電子ペーパー端末４０の画面の位置を設定することができる。
【００４３】
装着位置判定部３５は、プラテンガラス上の電子ペーパー端末４０の位置を判定し、スキャン範囲を特定する。例えば、電子ペーパー端末保持部３４が落下防止用爪を備える場合は、落下防止用爪の位置から読み取った座標で特定される領域をスキャン範囲（若しくは読み取るべきスキャン画像の範囲）として特定し、特定したスキャン範囲をスキャン部２８に通知する。また、画像処理部３０がエンブレムや枠線などの特定の情報を抽出した場合は、エンブレムの内側の綴じた四角の枠線内をスキャン範囲（若しくは読み取るべきスキャン画像の範囲）として特定し、特定したスキャン範囲をスキャン部２８に通知する。
【００４４】
なお、図２は、本実施例の画像処理装置２０の一例であり、その構成は適宜変更である。例えば、ＦＡＸ通信制御部３２やネットワーク制御部３３を省略したり、スキャン部２８で読み取った画像を紙媒体に出力する場合は、印刷処理部を設けたりしてもよい。
【００４５】
［電子ペーパー端末］
電子ペーパー端末４０は、例えば、無電源で画像を表示保持する機能（いわゆるメモリ性）を有する表示装置であり、図３に示すように、ＣＰＵ４１と、ＲＯＭ４２と、ＲＡＭ４３と、記憶部４４と、表示部４５と、操作部４６などで構成され、これらはシステムバスによって接続されている。
【００４６】
ＣＰＵ４１は、制御プログラムをＲＯＭ４２から読み出し、ＲＡＭ４３に展開し実行することにより、電子ペーパー端末４０の全体動作を制御する。ＲＯＭ４２は、ＣＰＵ４１が各部を制御するための制御プログラムなどを記憶する。ＲＡＭ４３は、ＣＰＵ４１による制御に必要なデータや制御動作時に一時記憶が必要なデータ等を記憶する。そして、ＣＰＵ４１とＲＯＭ４２やＲＡＭ４３などのメモリとで制御部が構成される。なお、本実施例の電子ペーパー端末４０は、自動ページめくり機能を動作させるモード（自動ページめくりモード）を備え、自動ページめくりモードでは、制御部は、予め設定されたページめくりの時間間隔（以下、ページめくり間隔と記載する。）で表示対象となる文書の各ページが自動的に順次表示されるように表示部４５を制御する。
【００４７】
記憶部４４は、メモリやＳＳＤ、ＨＤＤなどであり、表示対象となる文書の各ページの画像データなどを記憶する。
【００４８】
表示部４５は、透明な液体中に分散している帯電粒子やマイクロカプセル中の帯電粒子に電圧を印加して泳動させることによって情報を表示するデバイスであり、ＣＰＵ４１によって指示されたページの画像などを表示する。
【００４９】
操作部４６は、表示部４５上に透明電極が格子状に配置された感圧式又は静電式のタッチセンサや、ボタンやスイッチ等のハードスイッチからなり、表示部４５に表示する文書の選択やページめくり間隔の設定、表示指示などの操作を受け付ける。
【００５０】
なお、図３は、本実施例の電子ペーパー端末４０の一例であり、その構成は適宜変更可能である。また、本実施例では、読み取り対象となる画像を表示する装置として、無電源で画像を表示保持するメモリ性を有する電子ペーパー端末４０とするが、画像処理装置２０のスキャン部２８が画像を読み取り可能であれば、ＬＣＤ（Liquid Crystal Display）や有機ＥＬ（Electro Luminescence）ディスプレイなどとしてもよい。
【００５１】
次に、上記構成の画像読み取りシステム１０の概略動作について説明する。
【００５２】
まず、自動ページめくり機能を備えている電子ペーパー端末４０に対して、ユーザは操作部４６を操作して、表示対象となる文書を選択し、自動ページめくりモードでページめくり間隔を設定した後、電子ペーパー端末４０の表示面を下にして、画像処理装置２０のプラテンガラス上に設置する。
【００５３】
画像処理装置２０は、装着位置判定部３５が電子ペーパー端末４０の位置を判定して、スキャン範囲（若しくは読み取るべきスキャン画像の範囲）を特定する。例えば、スキャン部２８がプレスキャンで取得したスキャン画像を画像処理部３０が解析した情報や、電子ペーパー端末保持部３４の構成物の位置に基づいて電子ペーパー端末４０の画面位置を判定し、スキャン範囲（若しくは読み取るべきスキャン画像の範囲）を特定する。
【００５４】
その後、スキャン部２８はスキャンを行って、電子ペーパー端末４０に表示されているページの画像を取得する。その際、スキャン部２８はページめくり間隔よりも短い所定の時間間隔でスキャンを繰り返し、スキャン部２８がスキャン画像を取得する度に、ページめくり判定部３１ａは、取得したスキャン画像（若しくは画像処理部３０が画像処理したスキャン画像）と比較ベースとの比較を行い、双方のスキャン画像が一致する場合はページがめくられていないと判断し、双方のスキャン画像が一致しない場合は、判定を保留し、以降のスキャン画像を用いて、ページがめくられたか否かを判断する。
【００５５】
スキャン画像が一致するかどうかは、スキャン部２８が取得したスキャン画像を比較して判定してもよいし、例えば、画像処理部３０が画像処理した２値化後のビットマップを比較して判定してもよいし、多少の読み取りムラを勘案して、画像処理部３０が抽出した画像の特徴点を比較して判定してもよい。この特徴点の比較に関しては、エッジやコーナーなどの特徴点を使用してマッチングを行うキーポイント・マッチングや、色や濃度などのヒストグラムを使用してマッチングを行うヒストグラム法、画像から抽出したキーポイントを元に、デシジョンツリーを使って画像を分類するキーポイント・マッチング＋デシジョンツリーなどの公知の手法を利用することができる。
【００５６】
なお、自動ページめくり機能を備えた電子ペーパー端末４０での１ページの表示時間（ページめくり間隔）は、ユーザがそのページを読み終える程度の時間に設定されており、最短時間に設定されていたとしても１０秒程度と想定される。このページめくり間隔に対して画像処理装置２０のスキャン速度は十分に高速であるため、画像処理装置２０で連続的にスキャンを行えば、スキャン漏れのページが発生する可能性は低い。特に、電子ペーパー端末４０の画面はＡ５〜Ａ４サイズ程度であり、プレスキャンによりスキャン範囲を特定すれば、その範囲のみをスキャンすれば良く、更に高速でスキャンを実施可能であるため、スキャン漏れのページが発生する可能性は十分に低い。
【００５７】
ここで、電子ペーパー端末４０に表示している画像の書き換え速度（ページめくり時間）は、画像処理装置２０のスキャン速度より一般的に高速であるが、希にスキャン中に画像の書き換えが始まってしまい、画像処理装置２０は書き換え途中の画像をスキャンしてしまう場合がある。この場合、単に前回のスキャン画像との比較だけでは、取得したスキャン画像を次のページの正常なスキャン画像と誤認識してしまう恐れがある。
【００５８】
このような不具合の発生を防止するために、本実施例では、取得したスキャン画像が前回のスキャン画像と一致しない場合に、取得したスキャン画像を直ちに次のページの正常なスキャン画像であると認識するのではなく、短時間に実施した１又は２回のスキャンで取得したスキャン画像を利用して、正常なスキャン画像であるか否かを判断するように制御する。以下、この制御について、図面を参照して具体的に説明する。
【００５９】
図４及び図５は、電子ペーパー端末４０の画像が書き換えられた（ページがめくられた）場合のスキャン結果と、ページめくりの判定方法を模式的に示している。なお、画像処理装置２０のスキャン間隔は１０秒とし、電子ペーパー端末４０はプラテンガラスにＳＥＦ（Short Edge Feed）の向き（電子ペーパー端末４０の短辺がスキャンの主走査方向に一致する向き）に置かれているとする。また、スキャン部２８の副走査方向（スキャン方向）を一方向として説明するが、双方向（往復で画像を読み取る構成）とした場合も同様に考えることができる。
【００６０】
電子ペーパー端末４０の画像を書き換える方法として、端からシーケンシャルに（徐々に）書き換える方法や、全体をプログレッシブに（一括して）書き換える方法などがあるが、電子ペーパー端末４０の画像の書き換え速度は画像処理装置２０のスキャン速度よりも大きいため、これらの画像の書き換え方法に関わらず、スキャンの途中で画像が書き換えられた時に得られるスキャン画像は下記の２通りとなる。
【００６１】
例えば、図４に示すように、画像処理装置２０のスキャン部２８が電子ペーパー端末４０を図の上側から下側にスキャンする時、（１）の状態では、電子ペーパー端末４０の表示部４５には第１ページの画像（ここでは「Ａ」の文字）が表示されており、スキャン部２８は、１回目のスキャンを行って第１ページのスキャン画像を取得する。次に、（２）で所定時間経過後（ここでは１０秒後）にスキャン部２８は２回目のスキャンを行うが、スキャンの途中（図のａの領域までスキャンした段階）で、電子ペーパー端末４０の自動ページめくり機能によって、表示部４５に第２ページの画像（ここでは「Ｂ」の文字）が表示された場合、スキャン部２８は、残りの部分（図のｂの領域）は第２ページの画像をスキャンする。すなわち、スキャン画像は第１ページの画像の上部と第２ページの画像の下部を繋ぎ合わせた画像となる。その後、（３）で所定時間経過後（ここでは１秒後）にスキャン部２８は３回目のスキャンを行って第２ページのスキャン画像を取得し、（２）のスキャン画像と（３）のスキャン画像が一致しない場合は、更に（４）で所定時間経過後（同様に１秒後）にスキャン部２８は４回目のスキャンを行って第２ページのスキャン画像を取得する。この時、（１）のスキャン画像と（２）のスキャン画像は一致しないが、（２）のスキャン画像を直ちに次のページの正常なスキャン画像と認識するのではなく、（３）のスキャン画像と（４）のスキャン画像とが一致すれば、（４）のスキャン画像を次のページの正常なスキャン画像と判断する。
【００６２】
また、図５に示すように、画像処理装置２０のスキャン部２８が電子ペーパー端末４０を図の下側から上側にスキャンする場合も同様であり、（１）の状態では、スキャン部２８は、１回目のスキャンを行って第１ページの画像を取得する。次に、（２）の２回目のスキャンの途中で、電子ペーパー端末４０の表示部４５に第２ページの画像が表示された場合、スキャン部２８は、第１ページの画像の下部と第２ページの画像の上部を繋ぎ合わせたスキャン画像を取得する。その後、（３）でスキャン部２８は３回目のスキャンを行って第２ページの画像を取得するが、（２）のスキャン画像と（３）のスキャン画像が一致しない場合は、更に、（４）でスキャン部２８は４回目のスキャンを行って第２ページの画像を取得する。この場合も、（１）のスキャン画像と（２）のスキャン画像は一致しないが、（２）のスキャン画像を直ちに次のページの正常なスキャン画像と認識するのではなく、（３）のスキャン画像と（４）のスキャン画像とが一致すれば、（４）のスキャン画像を次のページの正常なスキャン画像と判断する。
【００６３】
また、電子ペーパー端末４０がプラテンガラスに（ＬＥＦ（Long Edge Feed）の向き（電子ペーパー端末４０の長辺がスキャンの主走査方向一致する向き）に置かれた場合も同様である。例えば、図６及び図７に示すように、（１）の状態では、スキャン部２８は、１回目のスキャンを行って第１ページの画像を取得する。次に、（２）の２回目のスキャンの途中で、電子ペーパー端末４０の表示部４５に第２ページの画像が表示された場合、スキャン部２８は、第１ページの画像の左側（又は右側）と第２ページの画像の右側（又は左側）を繋ぎ合わせたスキャン画像を取得する。その後、（３）でスキャン部２８は３回目のスキャンを行って第２ページの画像を取得するが、（２）のスキャン画像と（３）のスキャン画像が一致しない場合は、更に、（４）でスキャン部２８は４回目のスキャンを行って第２ページの画像を取得する。この場合も、（１）のスキャン画像と（２）のスキャン画像は一致しないが、（２）のスキャン画像を直ちに次のページの正常なスキャン画像と認識するのではなく、（３）のスキャン画像と（４）のスキャン画像とが一致すれば、（４）のスキャン画像を次のページの正常なスキャン画像と判断する。
【００６４】
また、スキャンの途中でページめくりが行われなかった場合は以下のようになる。例えば、図８に示すように、（１）で１回目のスキャンを行って第１ページの画像を取得した後、（２）で２回目のスキャンを行って第２ページの画像を取得する。（１）のスキャン画像と（２）のスキャン画像は一致しないため、更に、（３）で３回目のスキャンを行って第２ページの画像を取得する。この場合は、（１）のスキャン画像と（２）のスキャン画像は一致しないが、（２）のスキャン画像を直ちに次のページの正常なスキャン画像と認識するのではなく、（２）のスキャン画像と（３）のスキャン画像とが一致すれば、（３）のスキャン画像を次のページの正常なスキャン画像と判断する。
【００６５】
この制御を一般化すれば、基準のスキャン画像と第１のスキャン画像とが一致する場合は、第１のスキャン画像を破棄し、基準のスキャン画像と第１のスキャン画像とが一致しない場合、判定を保留することになる。すなわち、基準のスキャン画像と第１のスキャン画像とが一致しない場合、第１のスキャン画像を直ちに次のページの正常なスキャン画像と判断するのではなく、第１のスキャン画像と次の第２のスキャンの第２のスキャン画像とを比較し、第１のスキャン画像と第２のスキャン画像とが一致すれば、第２のスキャン画像を次のページの正常なスキャン画像と判断する。第１のスキャン画像と第２のスキャン画像とが一致しない場合は、第２のスキャン画像と更に次の第３のスキャンの第３のスキャン画像とを比較し、第２のスキャン画像と第３のスキャン画像とが一致すれば、第３のスキャン画像を次のページの正常なスキャン画像と判断することになる。
【００６６】
なお、第２のスキャン画像と第３のスキャン画像とが一致しない場合として、第２のスキャン画像がページめくり途中の画像である場合が考えられるが、一般的に電子ペーパー端末４０の画像の書き換え速度＞画像処理装置２０のスキャン速度であるため、第２のスキャン画像が第１のスキャン画像と同様のページのページめくり途中の画像（ｎページとｎ＋１ページが混在した画像とする。）となることはなく、また、スキャン時間間隔をページめくりの時間間隔よりも短く設定、若しくは、第２のスキャンを短時間に行えば、第２のスキャン画像がｎ＋１ページとｎ＋２ページが混在した画像となることもない。従って、第２のスキャン画像と第３のスキャン画像とが一致しない場合は、第２のスキャン画像と第３のスキャン画像とが異なるページの画像である場合に限られるが、スキャン時間間隔をページめくりの時間間隔よりも短く設定、若しくは、第２及び第３のスキャンを短時間に行えば、適切にページの画像を取得することができる。
【００６７】
ここで、表示された画像を比較する場合、表示は瞬時に切り替わる（図８のように途中段階の画像を表示する場合はない）ため、画像を記憶する際に、同じ画像であれば後の画像を破棄することができるが、異なる画像であれば後の画像を破棄することはない。一方、スキャンされた画像を比較する場合、スキャンは一定の時間がかかり、図４乃至図７のように途中段階のスキャン画像となる場合があるため、異なる画像であっても、後の画像を破棄することができる場合がある。
【００６８】
そこで、ページめくり判定部３１ａは、取得したスキャン画像が比較ベースと一致しない場合は、取得したスキャン画像を記憶部２４に保存するのではなく、ＲＡＭ２３などに一時的に保持しておき、その後のスキャンで取得したスキャン画像が一致する場合は、一時的に保存したスキャン画像を破棄するようにする。この制御は、スキャン画像を比較する場合に特有な制御であり、表示画像を比較する場合とは異なる制御となる。
【００６９】
なお、スキャン間隔がページめくり間隔よりもかなり短い場合、図９に示すように、スキャン部２８は同じページのスキャン画像を何度も取得する（図では（３）の状態以降に複数回「Ｂ」の文字を取得する。）ことになり、ページめくり判定部３１ａが何度も判断を繰り返すことになるため、効率的ではない。また、スキャン間隔がページめくり間隔に非常に近い場合、例えば、ページめくり間隔＜スキャン間隔＜ページめくり間隔＋画像の書き換え時間の場合、図１０に示すように、異なるページのページめくりの途中段階を続けて取得する可能性がある。また、スキャンの時間間隔がページめくりの時間間隔よりも長い場合、図１１に示すように、毎回異なるスキャン画像を取得することになり、ページを飛ばしてしまう可能性がある。そこで、本実施例では、このような不具合を防止するため、スキャン間隔設定部３１ｂは、デフォルトのスキャン間隔をページめくり間隔よりも短くすると共に、ページめくり判定部３１ａの判定結果に基づいてスキャン間隔を調整し、各ページの画像を確実かつ効率的に取得できるように制御する。
【００７０】
具体的には、ページめくりが行われたと判断し、取得したスキャン画像を比較ベースに設定してから、次にページめくりが行われたと判断し、取得したスキャン画像を比較ベースに設定するまでの経過時間をスキャン間隔に設定する。また、ページめくりの途中段階のスキャン画像を連続して取得した場合や、スキャン画像が毎回異なる場合は、スキャン間隔を徐々に短く（例えば、０．９倍などに）する。
【００７１】
このようなスキャン間隔の設定や調整を行うことで、スキャン間隔をページめくり間隔に同期させ、ページめくり後に毎回スキャンを実行させることができる。例えば、１ページ目は、電子ペーパー端末４０を原稿台にセットしてスタートボタンを押すまでのタイムロスなどによって、電子ペーパー端末４０のページめくりの開始タイミングと画像処理装置２０のスキャン開始タイミングとがずれるが、徐々にスキャン間隔とページめくり間隔とが同期していくため、各ページの画像を確実かつ効率的に取得することができる。
【００７２】
以下、本実施例の画像処理装置２０の動作について説明する。ＣＰＵ２１は、ＲＯＭ２２や記憶部２４に記憶した画像読み取り制御プログラムをＲＡＭ２３に展開して実行することにより、図１２のフローチャート図に示す各ステップの処理を実行する。なお、画像処理装置２０は、スキャンの動作モードとして、通常のスキャンモードと電子ペーパー端末専用のスキャンモードとが切り換え可能であるものとする。また、スキャン間隔は電子ペーパー端末４０のページめくり間隔よりも短い所定の時間間隔に予め設定されているものとする。
【００７３】
まず、制御部は、画像処理装置２０の動作モードが、電子ペーパー端末専用のスキャンモードに設定されているかを判断し（Ｓ１０１）、電子ペーパー端末専用のスキャンモードに設定されていない場合は、スキャン部２８は通常のスキャン動作を実施し（Ｓ１２２）、スキャンが終了したらスキャンを停止して（Ｓ１２３）、処理を終了する。
【００７４】
一方、電子ペーパー端末専用のスキャンモードに設定されている場合は、装着位置判定部３５は、スキャン範囲（若しくは読み取るべきスキャン画像を範囲）を特定する（Ｓ１０２）。このスキャン範囲は、例えば、スキャン部２８に全範囲のスキャン（プレスキャン）を実行させ、画像処理部３０が画像処理したスキャン画像を解析することによって特定してもよいし、電子ペーパー端末４０が電子ペーパー端末保持部３４に保持される場合は、電子ペーパー端末保持部３４の保持状態に基づいて特定してもよい。
【００７５】
次に、ユーザ操作により電子ペーパー端末４０の自動ページめくり機能が動作を開始したら、スキャン部２８は、Ｓ１０２で特定されたスキャン範囲のスキャンを実施してスキャン画像を取り込み（Ｓ１０３）、画像判定部３１（ページめくり判定部３１ａ）は、そのスキャン画像を比較ベースとして登録する（Ｓ１０４）。その後、スキャン部２８は、予め設定されたスキャン間隔の経過を待ち（Ｓ１０５）、スキャン間隔が経過したら、上記特定したスキャン範囲のスキャンを実施してスキャン画像を取り込む（Ｓ１０６）。
【００７６】
次に、画像判定部３１（ページめくり判定部３１ａ）は、画像が反転しているかを判断し（Ｓ１０７）、画像反転を検出した場合はＳ１１７にスキップし、画像反転を検出しない場合は、Ｓ１０６で取り込んだスキャン画像とＳ１０４で作成した比較ベースとを比較し（Ｓ１０８）、スキャン画像と比較ベースとが一致しないかを判断する（Ｓ１０９）。
【００７７】
スキャン画像と比較ベースとが一致する場合は、ページめくりが行われていないため、画像判定部３１（ページめくり判定部３１ａ）は、同一頁カウンタをカウントアップする（Ｓ１１９）。そして、画像判定部３１（ページめくり判定部３１ａ）は、同一のスキャン画像は保存する必要がないため、Ｓ１０６で取得したスキャン画像を無効と判定して破棄し（Ｓ１２０）、Ｓ１２１にスキップする。
【００７８】
一方、スキャン画像と比較ベースとが一致しない場合は、スキャン画像がページめくり途中の画像の場合（図４乃至７の（２）の場合）とページめくり後の画像の場合（図８の（２）の場合）の双方が考えられるため、画像判定部３１（ページめくり判定部３１ａ）は、前回、判定を保留したかどうか（判定保留フラグがセットされているかどうか）を判断し（Ｓ１１０）、判定を保留していない場合は、判定を保留（判定保留フラグをセット）する（Ｓ１１６）。その後、画像判定部３１（スキャン間隔設定部３１ｂ）は、スキャン間隔を予め定めた短い時間に設定する（Ｓ１１７）。ここで、このスキャン画像がページめくり途中の画像の場合は無効な画像となるが、次回の判定で使用するため、画像判定部３１（ページめくり判定部３１ａ）は、このスキャン画像を破棄することなくメモリに一時的に保持し（Ｓ１１８）、Ｓ１２１にスキップする。
【００７９】
Ｓ１１０で、判定を保留していると判断した場合は、２回続けてページめくり途中の画像を取得することはないため、画像判定部３１（ページめくり判定部３１ａ）は、判定保留フラグをクリアし（Ｓ１１１）、今回のスキャン画像とＳ１１８で保持した前回のスキャン画像とを比較する（Ｓ１１２）。スキャン画像が一致しない場合（図４乃至図７の（３）の場合）は、ページめくりが完了していない可能性があるため、Ｓ１１６に遷移して再度、判定を保留する。
【００８０】
一方、スキャン画像が同一の場合は、前回のスキャン時にページめくりが完了していたと判断できるため、画像判定部３１（ページめくり判定部３１ａ）は、同一頁カウンタのカウントをクリアし（Ｓ１１３）、今回のスキャン画像を有効な画像（ページめくり後のスキャン画像）と判断して記憶部２４に保存すると共に比較ベースをそのスキャン画像に更新し、無効な画像を破棄する（Ｓ１１４）。なお、スキャン画像が同一の場合として、１回保留してスキャン画像が同一となった場合（図８の（３）の場合）と、上記Ｓ１１２からＳ１１６に遷移し、２回保留してスキャン画像が同一となった場合（図４乃至図７の（４）の場合）がある。前者（判定を１回保留した場合）は、前回のスキャン画像（図８の（２）のスキャン画像）を破棄し、後者（判定を２回保留した場合）は、前回及び前々回のスキャン画像（図４乃至図７の（２）と（３）のスキャン画像）を破棄する。そして、画像判定部３１（スキャン間隔設定部３１ｂ）は、前回の比較ベースの更新からの経過時間を新たなスキャン間隔に設定する（Ｓ１１５）。
【００８１】
その後、画像判定部３１（ページめくり判定部３１ａ）は、同一頁カウンタのカウント値が予め定めた一定値を越えたかを判断することによって最終ページであるかを判断し（Ｓ１２１）、最終ページでなければＳ１０５に遷移し、最終ページであればスキャン部２８にスキャンを停止させ（Ｓ１２３）、一連の処理を終了する。
【００８２】
次に、電子ペーパー端末４０をプラテンカバーに保持する場合のスキャン範囲（若しくは読み取るべきスキャン画像の範囲）の特定方法について詳細に説明する。
【００８３】
図１３は、電子ペーパー端末４０を原稿台（プラテンガラス上）に置く場合のスキャン範囲（若しくは読み取るべきスキャン画像の範囲）の特定方法を説明する図である。図１３（ａ）に示すように、電子ペーパー端末４０の表示画面側には、一般的に、所定の位置（例えば、表示部の下部や上部）に商品名や会社名などのエンブレムが記載されている。そこで、図１３（ｂ）に示すように、電子ペーパー端末４０の表示画面を下にして（表示画面をプラテンガラスに対向させて）、原稿台の任意の場所に置き、この状態で原稿台全面をプレスキャンする。そして、図１３（ｃ）に示すように、得られたスキャン画像を画像処理部３０が画像処理し、装着位置判定部３５が濃度差やエンブレムの位置などから副走査方向のスキャン範囲を特定し、次回以降この範囲のみをスキャンするようにスキャン部２８に指示する。また、副走査方向のこのスキャン範囲外の画像はメモリ上で破棄する。
【００８４】
図１４は、電子ペーパー端末４０をプラテンカバーに保持する場合の、電子ペーパー端末保持部３４の構造例を示す図である。例えば、プラテンカバーの裏面に、プラテンカバーの上下方向、左右方向及び厚み方向の位置を調整可能な機構を設け、電子ペーパー端末４０の画面が丁度プラテンカバーの裏面と一致するように、電子ペーパー端末４０を保持する。例えば、３つの支持ガイド２８ａと、３つの支持ガイド２８ａ及びプラテンカバーの内枠上辺に接合している落下防止用爪２８ｂと、プラテンカバーの内枠から延び、支持ガイド２８ａを支える伸縮可能な押圧棒２８ｃとで電子ペーパー端末４０を保持する。また、図示していないが、電子ペーパー端末４０はプラテンカバー内枠の背面からもバネ等で前面に押圧されている。この落下防止用爪２８ｂは、支持ガイド２８ａに接続され、スライド可能な薄い素材で形成されており、画面サイズマーカーとしての機能を兼ねる。また、中央の支持ガイド２８ａは、破線の丸で囲んだ部分で、両脇の支持ガイド２８ａに接合したまま、両脇の支持ガイド２８ａに沿ってスライドできるように、横方向に伸縮可能になっている。
【００８５】
そして、電子ペーパー端末４０の画面位置を特定する場合、ユーザが落下防止用爪２８ｂを電子ペーパー端末４０の表示画面に合わせて移動させると、画像処理装置２０（装着位置判定部３５）は、プラテンカバーの内枠に対する支持ガイド２８ａ及び落下防止用爪２８ｂ（画面サイズマーカー）の位置を元に、電子ペーパー端末４０の画面座標を割り出す。具体的には、支持ガイド２８ａ内側に機構的なセンサ（例えば、支持ガイド２８ａに沿って配置したスイッチ）を組み込み、画面サイズマーカーによる接点の開閉などによって、支持ガイド２８ａ上の画面サイズマーカーのスライド位置を認識したり、或いは、画面サイズマーカーの外側エッジに発光素子を組み込み、支持ガイド２８ａ内側に設けた受光センサで検知することによって、画面サイズマーカーのエッジ位置を検出し、画面四隅（図のＡ〜Ｄ）の座標位置を認識したりすることができる。また、支持ガイド２８ａも同様の機構でプラテンカバー内枠からの位置を認識することができる。
【００８６】
このように、電子ペーパー端末４０を自動ページめくりモードにしておけば、画像処理装置２０側だけの制御で、電子ペーパー端末４０のページめくり間隔よりも短い時間間隔でスキャン（コピー）を実施し、不要なスキャン画像は破棄し、必要なスキャン画像のみを有効な画像として取得することができるため、電子ペーパー端末４０と専用のＩ／Ｆ部を用いて通信することなく、また、電子ペーパー端末４０の機種を問わずに、電子ペーパー端末４０に表示される文書の各ページの画像を適切に取得することができる。
【００８７】
なお、本発明は上記実施例に限定されるものではなく、本発明の趣旨を逸脱しない限りにおいて、画像処理装置２０及び電子ペーパー端末４０の構成や制御は適宜変更可能である。
【００８８】
例えば、上記実施例では、取得した第１のスキャン画像と基準となるスキャン画像（比較ベース）とが一致しない場合に、第１のスキャン画像の有効／無効の判定を保留して、第１のスキャン画像と次のスキャンで取得した第２のスキャン画像とを比較し、第１のスキャン画像と第２のスキャン画像とが一致しない場合に、第２のスキャン画像の有効／無効の判定を保留して、第２のスキャン画像と次のスキャンで取得した第３のスキャン画像とを比較し、第２のスキャン画像と第３のスキャン画像とが一致する場合に、第３のスキャン画像を有効と判定して、第１のスキャン画像及び第２のスキャン画像を破棄するようにしたが、第１のスキャン画像と基準となるスキャン画像（比較ベース）とが一致しない場合に、第１のスキャン画像と第２のスキャン画像との比較を行うことなく、連続して２回のスキャンを行って第２のスキャン画像と第３のスキャン画像とを比較し、第２のスキャン画像と第３のスキャン画像とが一致する場合に、第３のスキャン画像を有効と判定して、第１のスキャン画像及び第２のスキャン画像を破棄するようにしてもよい。
【産業上の利用可能性】
【００８９】
本発明は、表示装置に表示された画像を読み取るスキャン部を備える画像処理装置、当該画像処理装置で動作する画像読み取り制御プログラム及び当該画像読み取り制御プログラムを記録した記録媒体並びに画像読み取り制御方法に利用可能である。
【符号の説明】
【００９０】
１０  画像読み取りシステム
２０  画像処理装置
２１  ＣＰＵ
２２  ＲＯＭ
２３  ＲＡＭ
２４  記憶部
２５  計時部
２６  表示部
２７  操作部
２８  スキャン部
２８ａ  支持ガイド
２８ｂ  落下防止用爪（画面サイズマーカー）
２８ｃ  押圧棒
２９  電源制御部
３０  画像処理部
３１  画像判定部
３１ａ  ページめくり判定部
３１ｂ  スキャン間隔設定部
３２  ＦＡＸ通信制御部
３３  ネットワーク制御部
３４  電子ペーパー端末保持部
３５  装着位置判定部
４０  電子ペーパー端末
４１  ＣＰＵ
４２  ＲＯＭ
４３  ＲＡＭ
４４  記憶部
４５  表示部
４６  操作部
【図１】
2015142310.tif 000003
【図２】
2015142310.tif 000004
【図３】
2015142310.tif 000005
【図４】
2015142310.tif 000006
【図５】
2015142310.tif 000007
【図６】
2015142310.tif 000008
【図７】
2015142310.tif 000009
【図８】
2015142310.tif 000010
【図９】
2015142310.tif 000011
【図１０】
2015142310.tif 000012
【図１１】
2015142310.tif 000013
【図１２】
2015142310.tif 000014
【図１３】
2015142310.tif 000015
【図１４】
2015142310.tif 000016